(57)【要約】      （修正有）【課題】外圧により容量が縮小できる液体容器を提供する。【解決手段】容器７の排液口６の液体水位を確認する手段として容器７の内部が確認できるようにキャップ１に透視窓部２を設ける。容器７の圧縮による排気時に多量の液体が漏出しないように流量を下げる目的で貫通穴５を設けた内蓋式穴付きアダプタ３を上記の窓付きキャップ１と容器７の排液口６の間に設ける。【選択図】図２
0003215607.tif 000002
【実用新案登録請求の範囲】
【請求項１】
外圧により容量が縮小できる液体容器であって前記容器の排液口とキャップの中間に装着し、排液流量を減すための貫通穴をキャップの下方中央で容器の排液部近くに設けた穴付きアダプタと、それを備えたことを特徴とする液体容器。
【請求項２】
外圧により容量が縮小できる液体容器であって内部が確認できる透視窓を設けた窓付きキャップと、それを備えたことを特徴とする液体容器。  
【考案の詳細な説明】
【技術分野】
【０００１】
本考案は外圧により容量が縮小できる液体容器と、それに使用するネジ式キャップに関する。
【背景技術】
【０００２】
従来、醸造・発酵で製造された酒、醤油等は開栓後、容器内の残存空気により液体が酸化することで風味が劣化する原因となっていた。その対策のため以下のような手段が提案されていた。
（１）脱酸素剤の利用
（２）容器内を不活性ガスに置換する
（３）容器内を真空にする
（４）外圧により容量が縮小できる液体容器を用い排気する
上記（１）〜（３）は日常使用の容器材料や内容物（液体）とは異なる材料や専用装置が必要となりコストや手間のかかる問題があった。本考案は（４）の当該容器に使用するキャップに関するもので前記容器内で不要とする空気を簡便、確実に排出することを目的とする
【先行技術文献】
【特許文献】
【０００３】
【特許文献１】特開２０１０−１００３２０号  公報
【考案の概要】
【考案が解決しようとする課題】
【０００４】
酒、醤油等の開栓後、容器内の残存空気により液体が酸化することを防止するため、外圧により容量が縮小できる液体容器を用いれば、容器内の気体を容易に排出できる。前記容器に関しては、一般的に袋状プラスチック容器、蛇腹状プラスチック容器、紙パック容器等がある。これらを用いれば容器の圧縮で容器内の気体を容易に排出できるが、容器の排液口の液体量を確認しながらタイミングよく閉栓することは困難である。慎重な作業を怠ると大量の液体が噴出し無駄な廃棄と周囲の汚損や後処理に手間取ることになる。本考案は、それらの課題を簡便・確実に解決できるものである。
【課題を解決するための手段】
【０００５】
容器の排液口の液体量を確認し的確な排気作業をする手段として容器の内部が確認できるようにキャップに透視窓部を設ける。また、容器の圧縮による排気時に、多量の液体が漏出しないように排液流量を下げる目的で、小口の穴付アダプタを容器の排液口に設ける。
【考案の効果】
【０００６】
排気作業は容器の圧縮とキャップの開閉の動作のみなので前記部品以外への持ち替えは不要なため短時間に対応可能である。
【０００７】
排気作業の閉栓のタイミングは窓付きキャップの透視窓部で視認できる液量で判断できる。
【０００８】
排気に伴う液漏れは穴付きアダプタで流量を抑えることで回避でき、更には穴付きアダプタを通過する時の気体と液体の粘性の違いによって、容器の圧縮時に触覚（抵抗力）や聴覚（通過音）でも変化がわかる為、閉栓のタイミングが判断できる。
【０００９】
本考案は収縮可能な液体容器であれば種類を選ばず、考案の課題はキャップ部位のみで対応できる。
【図面の簡単な説明】
【００１０】
【図１】内蓋式穴付きアダプタと窓付きキャップの構成による分解斜視図
【図２】図１の断面図
【図３】継手式穴付きアダプタと窓付きキャップの構成による分解斜視図
【図４】図３の断面図
【図５】紙パック容器の圧縮前（左図）と圧縮後（右図）の比較図
【考案を実施するための形態】
【００１１】
本考案は窓付きキャップと穴付きアダプタの２部品で構成される。実施例として以下２例をあげるが、主たる違いは穴付きアダプタの方式の違いである。
【実施例１】
【００１２】
以下、添付図面の図１、図２に従って、実施例１を説明する。１は窓付きキャップであり上面に内部が見える透視窓部２を設けたネジ式キャップである。透視窓部２は窓付きキャップ１と同材質プラスチック等の一体化も可能である。３は内蓋式穴付きアダプタであり窓付きキャップ１の内側のネジ山奥に脱落しない程度に緩く嵌合されるが、閉栓時にはネジ締めによりフランジ部４が上下方向で固定されシールドされる。この内蓋式穴付きアダプタ３には貫通穴５を設ける。貫通穴５は液面上昇のタイミングを早めに確認できるようにするため、排液口６の下方（内側）に向けた凹みの底部中央に設け、開栓時以外は容器７の排液口６に挿入され嵌合される。容器７は外圧により容量が縮小できる液体容器である。使用方法を以下に記す。排気作業は窓付きキャップ１を半開して容器７を圧縮する。容器７内の空気が貫通穴５を抜けると同時に液体が貫通穴５を通過する。通過した液体は噴出して窓付きキャップ１の透視窓部２から目視で確認できる。また、貫通穴５を通過する音や触感も伝わるため、排気完了の確認が出来たものとして即時、窓付きキャップ１を閉める。液体注出時および保管時は通常どうり、窓付きキャップ１の開閉により行う。
【実施例２】
【００１３】
以下、添付図面の図３、図４に従って、実施例２を説明する。１は窓付きキャップであり実施例１と同内容である。８は継手式穴付きアダプタであり、前記の内蓋式穴付きアダプタ１の応用例である。継手式穴付きアダプタ８は窓付きキャップ１及び、容器７とは、それぞれにネジ嵌合するタイプである。使用方法を以下に記す。液体の保管は通常どうり、窓付きキャップ１と継手式穴付きアダプタ８との閉栓および、継手式穴付きアダプタ８と容器７との閉栓により行う。排気作業は窓付きキャップ１側のみ半開して容器７を圧縮する。容器７内の空気が継手式穴付きアダプタ８の貫通穴５を抜けると同時に液体が貫通穴５を通過する。通過した液体は噴出して窓付きキャップ１の透視窓部２から目視で確認でき又、貫通穴５を通過する音や触感も伝わるため排気完了の確認が出来たものとして即時、窓付きキャップ１を閉める。液体排出は少量の場合は窓付きキャップ１と継手式穴付きアダプタ８間のみを開栓して行う。液体排出が多量の場合は継手式穴付きアダプタ８と容器７間のみ開栓して行う。
継手式穴付きアダプタ８の利点は上記のように排液の量の多少によって使い分けが可能なため、醤油卓上容器等の詰替容器に便利である。
【産業上の利用可能性】
【００１４】
開栓後の酸化劣化が問題となる以下のような液体に対して、本考案の      利用が可能である。
・醸造・発酵で製造された酒類や醤油等の液体調味料
・灯油などの油脂類
・その他、薬品、化合物
外圧により容量が縮小できる液体容器に関しては、袋状、または蛇腹状
のプラスチック容器の他に、紙パック容器等がある。本考案の課題として揚げた事項はキャップ関連部位で全て解決できるため、上記の各種容器本体については変更なしに対応可能である。特に、紙パックについては本案の課題にあげた酒、醤油用の容器として一般的に流通している。更に日本酒やワイン等は嗜好性が非常に高いため開栓後も品質が維持出来る機能は新たな付加価値として高級酒向け容器等の販路拡大の可能性もある。図５は紙パック容器１０の圧縮前（左図）と圧縮後（右図）の比較図である。折線部９のように市場流通品の中には既に折線の入ったものもあり、これに従えば図５の右図のように折り畳むことで簡便に排気することが可能である。
【符号の説明】
【００１５】
１  窓付きキャップ
２  透視窓部
３  内蓋式穴付きアダプタ
４  フランジ部
５  貫通穴
６  排液口
７  容器
８  継手式穴付きアダプタ
９  折線部
１０  紙パック容器
【図１】
0003215607.tif 000003
【図２】
0003215607.tif 000004
【図３】
0003215607.tif 000005
【図４】
0003215607.tif 000006
【図５】
0003215607.tif 000007
【手続補正書】
【提出日】平成30年2月1日(2018.2.1)
【手続補正１】
【補正対象書類名】実用新案登録請求の範囲
【補正対象項目名】全文
【補正方法】変更
【補正の内容】
【実用新案登録請求の範囲】
【請求項１】
外圧により容量が縮小できる液体容器であって前記容器の排液口とキャップの中間に装着し、排液流量を減すための貫通穴をキャップの下方中央で容器の排液部近くに設けた穴付きアダプタと、前記穴付きアダプタを備えたことを特徴とする液体容器。 
【請求項２】
内部が確認できる透視窓を設けた窓付きキャップを備えたことを特徴とする請求項１記載の液体容器。